(57)【要約】【課題】本発明は、赤外カットフィルタ等の所定波長域の光を透過又はカットするフィルタを光路に対して進退移動させることなく使用可能なレンズ装置を提供する。【解決手段】本発明は、ＩＲカットフィルタ１０２を、絞り羽根５０、５２の小絞り開口９２に対応する大きさに形成し、これを絞り羽根５０、５２の近傍で小絞り開口９２に対向して配置する。昼間撮影時には、絞り機構１６を小絞り開口９２に設定する。これにより、小絞り開口９２を通過した全ての光の赤外光がＩＲカットフィルタ１０２によってカットされる。一方で夜間撮影時には、絞り開口９２を全開放する。これにより、絞り開口９２を通過する光の一部はＩＲカットフィルタ１０２を通過し、一部の光の赤外光がＩＲカットフィルタ１０２によってカットされるものの、そのカットされる光量は全通過光量の極一部であるため、問題なく夜間撮影を行うことができる。【選択図】      図７
2006078666.tif 000002
【特許請求の範囲】
【請求項１】
レンズと絞り部材とがレンズ鏡胴に保持されたレンズ装置において、
所定波長域の光をカット又は透過するフィルタが、前記絞り部材の小絞り開口に対応する大きさに形成されるとともに前記絞り部材の近傍で前記小絞り開口に対向して配置されたことを特徴とするレンズ装置。
【請求項２】
前記フィルタは、可視光波長域の光を透過し、近赤外波長域の光をカットする赤外カットフィルタであることを特徴とする請求項１に記載のレンズ装置。
【請求項３】
前記フィルタは、前記絞り部材に近接する前記レンズに取り付けられていることを特徴とする請求項１又は２に記載のレンズ装置。
【発明の詳細な説明】
【技術分野】
【０００１】
本発明はレンズ装置に係り、特に監視カメラ用のレンズ装置であって、昼光の可視光波長域から夜光の近赤外波長域までの波長域で使用可能なデイナイト（昼夜兼用）監視カメラ用のレンズ装置に関する。
【背景技術】
【０００２】
監視カメラは、カメラ本体に設けられた撮像素子の結像面に昼間は可視光領域の光を結像させてカラー撮影を行い、夜間は可視光領域の光に加えて近赤外波長域の光を結像させてモノクロ撮影を行い、ＴＶモニタに監視像を映し出す。
【０００３】
一般にレンズ装置の光学系は、使用される波長域に応じて設計され、それ以外の波長域で使用されると、色収差の影響で結像位置にずれが生じる。このため、昼光の可視光波長域（４００ｎｍ〜７００ｎｍ程度）と夜光の近赤外波長域（７００ｎｍ〜１０００ｎｍ程度）の両方の波長域で使用される監視カメラ用のレンズ装置は、使用される波長域に応じて結像位置を補正する必要がある。
【０００４】
そこで従来では、昼光における結像位置のずれを補正する赤外カットフィルタ（ＩＲカットフィルタ）を、レンズ装置の光学系と撮像素子との間に配置するとともに光学系の光路に対して直交する平面内で進退移動自在に設けたレンズ装置が知られている。また、夜間撮影時には、ＩＲカットフィルタを光学系の光路から退避させるとともに、光路長を調整する所定厚さの透光性平行平面板を光学系の光路に挿入することにより、焦点位置を撮像素子の結像面に一致させるレンズ装置が知られている（例えば、特許文献１）。
【０００５】
図９は、ＩＲカットフィルタ進退構造の一例を示した模式図である。同図はレンズ鏡胴１の後端部を示した図であり、ＩＲカットフィルタ２は、矩形状の保持枠３の円形開口部３Ａに保持されている。また、この開口部３Ａに隣接した開口部３Ｂには、光路長を調整する透光性平行平面板４が取り付けられている。保持枠３は、レンズ装置の鏡胴１内の円筒空間において撮影光学系５の光軸Ｐと直交する面内でスライド移動自在に設けられている。図９の状態は、撮影光学系５の光路上に透光性平行平面板４が位置されており、夜間撮影の状態が示されている。この状態から昼光用に切り替える場合には、保持枠３を矢印Ａ方向にスライド移動させ、ＩＲカットフィルタ２を前記光路上に位置させる。
【特許文献１】特開２００２−２５０８６４号公報
【発明の開示】
【発明が解決しようとする課題】
【０００６】
しかしながら、ＩＲカットフィルタ２を撮影光学系５の光路に対して進退移動させる前記従来のレンズ装置は、ＩＲカットフィルタ２や透光性平行平面板４を使用し、交互に切り替えるためのメータが必要であり、その他多数の機構部品で構成されるため、レンズ装置自体が大型で重量物になり、高価なものになるという欠点があった。
【０００７】
本発明は、このような事情に鑑みてなされたもので、赤外カットフィルタ等の所定波長域の光を透過又はカットするフィルタを光路に対して進退移動させることなく使用することができるレンズ装置を提供することを目的とする。
【課題を解決するための手段】
【０００８】
本発明は、前記目的を達成するために、レンズと絞り部材とがレンズ鏡胴に保持されたレンズ装置において、所定波長域の光をカット又は透過するフィルタが、前記絞り部材の小絞り開口に対応する大きさに形成されるとともに前記絞り部材の近傍で前記小絞り開口に対向して配置されたことを特徴としている。
【０００９】
請求項１に記載の発明によれば、所定波長域の光をカット又は透過するフィルタを、絞り部材の小絞り開口に対応する大きさに形成し、これを絞り部材の近傍で小絞り開口に対向して配置した。本発明のレンズ装置は、所定波長域の光をカット又は透過するというフィルタ効果を得たい場合には、絞り部材を小絞り開口に設定する。これにより、小絞り開口を通過した光は、小絞り開口に近接配置されたフィルタに全て通過するので、フィルタ効果を得ることができる。一方でフィルタ効果を得たくない場合には、絞り開口を全開放する。これにより、絞り開口を通過する光の一部はフィルタを通過するものの、その光量は全通過光量の極一部であるため、フィルタ効果を受けない通常撮影が可能となる。
【００１０】
請求項２に記載の発明は、請求項１に記載の発明において、前記フィルタは、可視光波長域の光を透過し、近赤外波長域の光をカットする赤外カットフィルタであることを特徴としている。請求項２に記載の発明は、デイナイトで使用される監視カメラ用レンズ装置を対象とした発明であり、すなわち、昼間撮影時には、絞り部材を小絞り開口に設定する。これにより、小絞り開口を通過した全ての光の赤外光が赤外カットフィルタによってカットされるので、問題なく昼間撮影を行うことができる。一方で夜間撮影時には、絞り開口を全開放する。これにより、絞り開口を通過する光の一部はフィルタを通過し、一部の光の赤外光がカットされるものの、そのカットされる光量は全通過光量の極一部であるため、問題なく夜間撮影を行うことができる。結像面における結像位置のずれは、赤外カットフィルタがコーティングされた透明プラスチック製又は透明樹脂製のフィルムの厚みによって補正することができ、また、小絞りによって深くなる焦点深度を利用して補正することもできる。すなわち、夜間撮影時における結像位置を基準として設定しておけば、焦点深度が深い昼間撮影に切り替えた場合でも、透光性平行平面板のようなピント補正部材を挿入することなくピントが合う。
【００１１】
請求項３に記載の発明は、請求項１又は２に記載の発明において、前記フィルタは、前記絞り部材に近接する前記レンズに取り付けられていることを特徴としている。このように絞り部材に近接するレンズにフィルタを取り付けることにより、フィルタ取付専用の部材が不要になり、部品点数を削減でき、小型軽量で廉価なレンズ装置を提供できる。
【発明の効果】
【００１２】
本発明に係るレンズ装置によれば、所定波長域の光をカット又は透過するフィルタを、絞り部材の小絞り開口に対応する大きさに形成し、これを絞り部材の近傍で小絞り開口に対向して配置したので、所定波長域の光を透過又はカットするフィルタを光路に対して進退移動させることなく使用することができる。
【発明を実施するための最良の形態】
【００１３】
以下、添付図面に従って本発明に係るレンズ装置の好ましい実施の形態について説明する。
【００１４】
図１は、本発明に係るレンズ装置が適用された監視カメラ用レンズ鏡胴１０の構成を示した断面図である。
【００１５】
同図に示すレンズ鏡胴１０は前部固定筒１２、後部固定筒１４、及び絞り機構（絞り部材）１６等から構成され、前部固定筒１２と後部固定筒１４との間に絞り機構１６が挟み込まれた状態で、前部固定筒１２、後部固定筒１４、及び絞り機構１６が図示しないネジにより締結されることにより組み立てられている。後部固定筒１４の後側には、雄ねじ１８Ａが形成されたマウント環１８が配置され、このマウント環１８を介してレンズ鏡胴１０がカメラ本体（不図示）のマウント部に着脱自在に取り付けられる。
【００１６】
前部固定筒１２内には、レンズ枠２２に保持されたフォーカスレンズ２０が配置される。レンズ枠２２の外周面には係合部２４、２４が突設され、一方、前部固定筒１２には光軸方向に直進溝１２Ａ、１２Ａが形成されている。レンズ枠２２の係合部２４、２４が前部固定筒１２の直進溝１２Ａ、１２Ａに係合されることにより、レンズ枠２２とともにフォーカスレンズ２０が直進溝１２Ａにガイドされて光軸方向に直進移動される。
【００１７】
前部固定筒１２の外周面にはフォーカスリング２６が回動可能に配置され、このフォーカスリング２６の内周面にはカム溝２６Ａ、２６Ａが形成されている。レンズ枠２２の係合部２４、２４にはカムピン２４Ａ、２４Ａが突設され、このカムピン２４Ａ、２４Ａがフォーカスリング２６のカム溝２６Ａ、２６Ａに係合されている。したがって、フォーカスリング２６を回動操作すると、フォーカスリング２６のカム溝２６Ａ、２６Ａと前部固定筒１２の直進溝１２Ａ、１２Ａとの交差位置が光軸方向に変位するとととに、その交差位置に従ってレンズ枠２２とともにフォーカスレンズ２０が光軸方向に変位するので、フォーカスレンズ２０が光軸方向に前後移動されてピント調整が行われる。
【００１８】
フォーカスリング２６には、外周面から内周面まで貫通するネジ孔２６Ｂが形成されている。このネジ孔２６Ｂにツマミ２８のネジ部２８Ａがねじ込まれてフォーカスリング２６にツマミ２８が取り付けられている。操作者は、このツマミ２８を利用してフォーカスリング２６を回動操作することもできる。また一方でツマミ２８のネジ部２８Ａをねじ込んでネジ部２８Ａの先端を前部固定筒１２の周面に押し当てることにより、フォーカスリング２６を所望のピント調整位置で固定しておくこともできる。この後、フォーカスリング２６を回動操作する際には、ツマミ２８を緩めればよい。
【００１９】
後部固定筒１４内には、レンズ枠３２に保持されたズームレンズ３０が配置される。レンズ枠３２には係合部３４、３４が突設され、一方、後部固定筒１４には光軸方向に直進溝１４Ａ、１４Ａが形成されている。レンズ枠３２の係合部３４、３４が後部固定筒１４の直進溝１４Ａ、１４Ａに係合されることによってレンズ枠３２とともにズームレンズ３０が、直進溝１４Ａ、１４Ａにガイドされて光軸方向に直進移動される。
【００２０】
後部固定筒１４の外周面にはズームリング３６が回動可能に配置され、このズームリング３６の内周面にはカム溝３６Ａ、３６Ａが形成されている。また、ズームリング３６の後端面には環状の凹部３６Ｃが形成され、この凹部３６Ｃにマウント環１８の前端面に形成された環状の凸部１８Ｂが挿入される。マウント環１８は、後部固定筒１４にネジ３７により固定される。
【００２１】
レンズ枠３２の係合部３４、３４にはカムピン３４Ａ、３４Ａが突設され、このカムピン３４Ａ、３４Ａがズームリング３６のカム溝３６Ａ、３６Ａに係合される。したがって、ズームリング３６を回動操作すると、ズームリング３６のカム溝３６Ａ、３６Ａと後部固定筒１４の直進溝１４Ａ、１４Ａとの交差位置が光軸方向に変位するとともに、その交差位置に従ってレンズ枠３２とともにズームレンズ３０が光軸方向に変位するので、ズームレンズ３０が光軸方向に前後移動されて焦点距離が調整される。
【００２２】
また、ズームリング３６には、外周面から凹部３６Ｃまで貫通するネジ孔３６Ｂが形成されている。このネジ孔３６Ｂにツマミ３８のネジ部３８Ａがねじ込まれてズームリング３６にツマミ３８が取り付けられている。操作者は、このツマミ３８を利用してズームリング３６を回動操作することもできる。また一方でツマミ３８のネジ部３８Ａをねじ込んでネジ部３８Ａ先端を凹部３６Ｃに挿入されたマウント環１８の凸部１８Ｂに押し当てることにより、ズームリング３６を所望の焦点距離調整位置で固定しておくこともできる。この後、ズームリング３６を回動操作する際には、ツマミ３８を緩めればよい。
【００２３】
なお、直進溝１２Ａ、係合部２４、カムピン２４Ａ、カム溝２６Ａ、直進溝１４Ａ、係合部３４、カムピン３４Ａ、カム溝３６Ａは、それぞれ図中上下に２箇所に配置されているが、例えば円周３等分した３箇所に配置することにより安定したレンズ２０、３０の移動を行うことができる。
【００２４】
ところで、絞り機構１６は、図１、図２に示すように２枚の絞り羽根５０、５２、絞り羽根５０、５２をズームレンズ３０側で保持するとともに絞り機構１６をレンズ鏡胴１０に装着保持するための保持枠５４、及び絞り羽根５０、５２をフォーカスレンズ２０側から保持枠５４に向けて押さえる押え板５６等の部材により構成される。
【００２５】
また、押え板５６には、ＩＲカットフィルタ（フィルタ）が蒸着されたフィルム１００が接着されている。このフィルム１００については後述する。
【００２６】
保持枠５４には、絞り羽根５０、５２を開閉動作させるための駆動機構を装着保持する保持部５８が一体形成され、この保持部５８に、不図示の電動用駆動機構又は手動用駆動機構が装着される。電動用駆動機構は絞り羽根５０、５２をアイリスメータにより開閉動作させるための駆動機構であり、一方、手動用駆動機構は絞り羽根５０、５２を手動により開閉動作させるための駆動機構である。いずれの駆動機構を絞り機構１６の保持部５８に装着する場合であっても、絞り機構１６を構成する絞り羽根５０、５２、保持枠５４、押え板５６等の全ての部材は同一部材で構成される。
【００２７】
図３（Ａ）、（Ｂ）、（Ｃ）はそれぞれ絞り機構１６の外観を示した正面図、側面図、及び背面図である。なお、図３においては絞り羽根５０、５２を省略して示している。
【００２８】
保持枠５４は、絞り羽根５０、５２を収納保持する保持枠本体部６０と、駆動機構を装着保持する保持部５８とから構成される。保持枠本体部６０には絞り羽根５０、５２を収納する空間が前面側に設けられ、その前方に押え板５６が配置される。押え板５６は、図３に示すようにその両側辺の４箇所で垂直に折り曲げられた曲部６２、６２…の各孔６２Ａ、６２Ａ…（図３（Ｂ）参照）が保持枠本体部６０の各爪６３、６３…（図３（Ｂ）参照）に係止されることにより、保持枠本体部６０に固定される。保持枠本体部６０と押え板５６の中央部には、それぞれレンズ鏡胴１０内に入射した被写体光が通過する開口６４、６６が形成され、この開口６４、６６の位置において２枚の絞り羽根５０、５２により光量調整が行われるようになっている。なお、図３（Ａ）、（Ｂ）に示すように保持枠本体部６０の両側に突設された突片６７、６７には絞り機構１６をレンズ鏡胴１０に装着するためのネジ孔６７Ａ、６７Ａが形成されている。また、図３（Ａ）に示すように保持枠本体部６０には、絞り羽根５０、５２の動作を直線運動に規制するための規制ピン９０、９０…が左右に２本ずつ設けられている。
【００２９】
図３（Ａ）で示されるようにＩＲカットフィルタ１０２がその中央部に蒸着されたフィルム１００は、絞り羽根５０、５２に近接した位置に配置された押え板５６の開口６６を閉塞するように押え板５６に接着される。このフィルムは、透明のプラスチック製又は透明の樹脂製で作られた薄いフィルムであり、十分な光透過性のあるフィルムである。また、フィルム１００は、開口６６の中心、すなわちレンズ鏡胴１０の光軸にＩＲカットフィルタ１０２が位置するように接着されている。
【００３０】
保持枠５４の保持部５８には、保持枠本体部６０から前方に突出して配置される保持板６８が形成され、その保持板６８の背面側における側方及び下方を囲むように側板７０が形成される。
【００３１】
図２の如く、保持部５８には開口７２が形成され、保持枠本体部６０に配置された絞り羽根５０、５２の基端部がこの開口７２を挿通して、保持板６８と側板７０で囲まれた空間部７４に配置される。
【００３２】
保持板６８には、図２、図３に示すように４本の爪７６、７６…が突設されるとともに、図３（Ａ）、（Ｂ）に示すように所定径の円に沿って３片の突片７８、７９、７９が突設される。また、図２、図３（Ａ）、（Ｃ）に示すように保持板６８の中央部に孔８０が穿設されるとともに、所定径の円に沿って弧状の長孔８２、８４が穿設される。また、保持板６８に突設された円筒状の部材８６、８６は、保持部５８全体を覆うカバーを装着するための部材である。また、保持板６８には、駆動機構の部材を中央部の孔８０に嵌合させたときに孔８０の歪を吸収する矩形状の孔８７、８７…が形成されている。
【００３３】
絞り羽根５０、５２はそれぞれ図４（Ａ）の如く構成される。絞り羽根５０には、絞り開口を形成するための所定形状の切欠き５０Ａが形成されるとともに、保持枠本体部６０の２本の規制ピン９０、９０と係合する直進溝５０Ｂ、５０Ｂと、駆動ピンと係合する長溝５０Ｃが穿設される。同様に、絞り羽根５２には、絞り開口を形成するための所定形状の切欠き５２Ａが形成されるとともに、保持枠本体部６０の３本の規制ピン９０、９０、９０と係合する直進溝５２Ｂ、５２Ｂ、５２Ｂと、駆動ピンと係合する長溝５２Ｃが穿設される。これらの絞り羽根５０、５２は、図４（Ｂ）に示すように上下に重ね合わされて保持枠５４に配置され、絞り羽根５０の切欠き５０Ａと絞り羽根５２の切欠き５２Ａにより絞り開口９２の輪郭が形成される。
【００３４】
図５（Ａ）、（Ｂ）は、保持枠５４と保持枠５４に配置した絞り羽根５０、５２との位置関係を示した正面図及び背面図である。これらの図に示すように絞り羽根５０、５２により形成される絞り開口９２は、保持枠５４の保持枠本体部６０に形成された開口６４の位置に配置され、絞り羽根５０、５２の長溝５０Ｃ、５２Ｃが形成された基端部は保持部５８の空間部７４に配置される。絞り羽根５０、５２の各直進溝５０Ｂ、５２Ｂは、それぞれ保持枠本体部６０の対応した位置の規制ピン９０と係合され、絞り羽根５０、５２は、紙面上下方向の往復動作のみに規制される。また、絞り羽根５０、５２の基端部に形成された長溝５０Ｃ、５２Ｃはそれぞれ、保持板６８の弧状の長孔８２、８４に対抗する位置に配置される。各長溝５０Ｃ、５２Ｃに係合する駆動ピンは、電動用駆動機構と手動用駆動機構のいずれの場合でも長孔８２、８４に沿って駆動機構により揺動され、その駆動ピンが揺動することによって、駆動ピンに連動して絞り羽根５０、５２が図中上下方向に往復動作する。
【００３５】
図６（Ａ）、（Ｂ）、（Ｃ）は、駆動機構による駆動ピンの動作と、絞り羽根５０、５２の開閉動作を示した図であり、同図には、絞り羽根５０、５２、駆動ピン９４、９６の他、保持枠５４における保持枠本体部６０の開口６４及び規制ピン９０、９０…と、保持部５８の孔８０及び長孔８２、８４が示されている。駆動ピン９４、９６は、孔８０の中心位置Ｐに対して対象の位置に配置されるとともに、中心位置Ｐを軸として駆動ピン９４と駆動ピン９６が連動して回動する。駆動ピン９４、９６が図中反時計回りに回動し、図６（Ａ）に示す端位置に移動した場合には、絞り羽根５０が紙面上方に移動する一方、絞り羽根５２が紙面下方に移動し、絞り開口９２は閉鎖される。これによって、保持枠本体部６０の開口６４は遮蔽され、被写体光が通過しない状態となる。
【００３６】
一方、図６（Ａ）の状態から駆動ピン９４、９６が図中時計回りに回動し、図６（Ｂ）に示す中間位置に向かって移動すると、絞り羽根５０が紙面上方に向かって移動する一方、絞り羽根５２が紙面下方に向かって移動し、絞り開口９２が広がっていく。更に、駆動ピン９４、９６が図中時計回りに回動し、図６（Ｃ）に示す端位置に移動すると、絞り開口９２が最大となり、保持枠本体部６０の開口６４全体を被写体光が通過できる状態となる。なお、図４〜図６には、ＩＲカットフィルタ１０２が蒸着されたフィルム１００を省略している。
【００３７】
図７（Ａ）は、絞り羽根５０、５２の全開放（例えばＦ１．６）時における絞り開口９２とフィルム１００に蒸着されたＩＲカットフィルタ１０２との位置関係を示した図であり、図７（Ｂ）は、絞り羽根５０、５２の小絞り（例えばＦ４．０）時における小絞り開口９２とＩＲカットフィルタ１０２との位置関係を示した図である。
【００３８】
ＩＲカットフィルタ１０２は、フィルム１００の中央部に円形状に蒸着され、その径は、図７（Ａ）で示した全開放の絞り開口９２の径に対して約１０％であり、且つ、図７（Ｂ）で示した小絞り開口９２の大きさと略同じ大きさに形成され、小絞り開口９２を通過した全ての光がＩＲカットフィルタ１０２を洩れなく通過するようになっている。
【００３９】
次に、前記の如く構成された監視カメラ用レンズ鏡胴１０の作用について説明する。
【００４０】
まず、このレンズ鏡胴１０を昼間時に使用する場合には、取り込む光の赤外光をカットする必要があるため、図７（Ｂ）に示すように絞り機構１６を小絞りの開口９２に設定する。これにより、小絞りの開口９２を通過した全ての光の赤外光がＩＲカットフィルタ１０２によってカットされるので、問題なく昼間撮影を行うことができる。
【００４１】
一方で夜間撮影時には、図７（Ａ）の如く絞り開口９２を全開放する。これにより、全開放の絞り開口９２を通過する光の一部はＩＲカットフィルタ１０２を通過し、一部の光の赤外光がカットされるものの、そのカットされる光量は全通過光量の極一部であるため、問題なく夜間撮影を行うことができる。
【００４２】
この際、カメラの結像面における結像位置のずれは、ＩＲカットフィルタ１０２が蒸着されたフィルム１００の厚みによって補正することができ、また、小絞りによって深くなる焦点深度を利用して補正することもできる。すなわち、夜間撮影時における結像位置を基準として設定しておけば、焦点深度が深い昼間撮影に切り替えた場合でも、透光性平行平面板のようなピント補正部材を挿入することなくピントが合う。
【００４３】
実施の形態では、絞り羽根５０、５２に近接する絞り機構１６の押え板５６にＩＲカットフィルタ１０２を取り付けた例を説明したが、これに限定されるものではなく、図１に示すズームレンズ３０の絞り機構１６側の面に図９の如くＩＲカットフィルタ１０２（図７で示したＩＲカットフィルタ１０２と同じ大きさのＩＲカットフィルタ１０２）をコーティングしてもよい。このように絞り機構１６に近接するレンズにＩＲカットフィルタ１０２を取り付けることにより、フィルタ取付専用の部材が不要になり、部品点数を削減でき、小型軽量で廉価なレンズ装置を提供できる。
【００４４】
なお、実施の形態では、ＩＲカットフィルタ１０２を必要とする監視カメラ用レンズ装置について説明したが、本発明の思想は、所定波長域の光をカット又は透過するフィルタを、絞り部材の小絞り開口に対応する大きさに形成し、これを絞り部材の近傍で小絞り開口に対向して配置したことにある。本発明のレンズ装置によれば、所定波長域の光をカット又は透過するというフィルタ効果を得たい場合には、絞り部材を小絞り開口に設定する。これにより、小絞り開口を通過した光は、小絞り開口に近接配置されたフィルタに全て通過するので、フィルタ効果を得ることができる。一方でフィルタ効果を得たくない場合には、絞り開口を全開放する。これにより、絞り開口を通過する光の一部はフィルタを通過するものの、その光量は全通過光量の極一部であるため、フィルタ効果のない通常撮影が可能となる。
【００４５】
また、本発明のフィルタとしては、軟焦点効果用フィルタ、霧効果用フィルタ、クロスフィルタ、多映効果フィルタ、回折光条効果フィルタ、部分露出調整効果フィルタ、及びＰＬフィルタ等の特殊フィルタを例示できる。
【図面の簡単な説明】
【００４６】
【図１】実施の形態の監視用カメラ用レンズ鏡胴の構成を示した断面図
【図２】図１のレンズ鏡胴に適用された絞り機構の側面図
【図３】図２に示した絞り機構の外観を示した正面図、側面図、及び背面図
【図４】図２に示した絞り機構の絞り羽根の構成及び動作を説明した図
【図５】絞り機構の保持枠と絞り羽根との位置関係を示した図
【図６】駆動機構による駆動ピンの動作と絞り羽根の開閉動作を示した図
【図７】絞り羽根の全開放時及び小絞り時における絞り開口とＩＲカットフィルタとの位置関係を示した図
【図８】ＩＲカットフィルタがコーティングされたレンズの正面図
【図９】従来のＩＲカットフィルタ進退構造を示した説明図
【符号の説明】
【００４７】
１０…レンズ鏡胴、１２…前部固定筒、１４…後部固定筒、１６…絞り機構、２０…フォーカスレンズ、３０…ズームレンズ、５０、５２…絞り羽根、５６…押え板、１００…フィルム、１０２…ＩＲカットフィルタ
【図１】
2006078666.tif 000003
【図２】
2006078666.tif 000004
【図３】
2006078666.tif 000005
【図４】
2006078666.tif 000006
【図５】
2006078666.tif 000007
【図６】
2006078666.tif 000008
【図７】
2006078666.tif 000009
【図８】
2006078666.tif 000010
【図９】
2006078666.tif 000011